(57)【要約】【課題】画面を上下に分割して同時に駆動する画像表示装置において、境界領域で移動する縦線が切れてしまうという表示不良を改善する。【解決手段】フレームメモリ＃１からの読み出された画像データを現画面の上側の領域に表示すると共に、現画面の下側の領域には、前画面のフレームメモリ＃３からの読み出された画像データを表示する。次の次画面においては、フレームメモリ＃２からの読み出された画像データを次画面の上側の領域に表示すると共に、次画面の下側の領域には、フレームメモリ＃１からの読み出された画像データを表示する。このように、フレームメモリ＃１からの読み出された画像データは、現画面と次画面とで連続して表示される。【選択図】図２
2006343556.tif 000002
【特許請求の範囲】
【請求項１】
連続する画像データがフレーム毎に入力され、前記画像データを順次２つのフレームメモリを切り替えて格納する画像表示装置において、
前記フレームメモリの切り替えを、フレーム毎の画像データの格納中に行うことを特徴とする画像表示装置
【請求項２】
請求項１に記載の画像表示装置において、
表示領域は、Ｍ＋Ｎ行の走査線と、Ｍ行の走査線と交差する上側の信号線と、Ｎ行の走査線と交差する下側の信号線と、各走査線と信号線に接続されたマトリクス状の画素とからなり、
前記上側の信号線と下側の信号線は、それぞれ上側水平ドライブ回路と下側水平ドライブ回路に接続されている画像表示装置において、
前記フレームメモリを切り替えるタイミングは、Ｍ行の画像データを一方のフレームメモリに格納した後に行い、残るＮ行の画像データは他方のフレームメモリに格納することを特徴とする画像表示装置
【請求項３】
連続する画像データがフレーム毎に入力され、前記画像データを順次２以上のフレームメモリを切り替えて格納する画像表示装置において、
表示領域は、Ｍ＋Ｎ行の走査線と、Ｍ行の走査線と交差する上側の信号線と、Ｎ行の走査線と交差する下側の信号線と、各走査線と信号線に接続されたマトリクス状の画素とからなり、
前記上側の信号線と下側の信号線は、それぞれ上側水平ドライブ回路と下側水平ドライブ回路に接続され
前記Ｍ＋Ｎ行の走査線は、上側Ｍ行と下側Ｎ行をそれぞれ独立に選択走査可能な垂直ドライブ回路に接続されている画像表示装置において、
上側Ｍ行目の選択走査が行われた後の次のＭ＋１行目の選択走査は，次の選択走査期間に行われることを特徴とする画像表示装置
【請求項４】
請求項２又は３に記載の画像表示装置において、
前記フレームメモリからの画像データの読み出しは、画像データの水平同期周期と同じ周期で、上側Ｍ行における１行のデータと下側Ｎ行における１行のデータとを交互に読み出し、それぞれ１行のデータを上側水平ドライブ回路と下側水平ドライブ回路に転送することを特徴とする画像表示装置
【請求項５】
請求項１ないし４のいずれかに記載の画像表示装置において、
前記走査線と信号線とが配線され、この走査線と信号線との交差部にマトリクス状に配置された画素が形成された基板と、この基板に対向して、放出される電子の量によって発光強度が制御される蛍光体を形成した対向基板とを、内部を低圧として一定間隔に支持し、
前記画素は、走査線からの選択電圧と、信号線からの画像データの電圧とによって、放出する電子の量が制御され、蛍光体の発光強度を制御して画像を表示することを特徴とする画像表示装置
【請求項６】
請求項１ないし４のいずれかに記載の画像表示装置において、
前記画素は、走査線からの選択電圧と、信号線からの画像データの電圧とによって、発光強度が制御される有機発光ダイオードからなることを特徴とする画像表示装置
【請求項７】
画面を上下に分割して同時に駆動する画像表示装置の駆動方法において、
現画面の上側の領域には、現画像データの上側を表示すると共に、現画面の下側の領域には、前画面の下側の画像データを表示し、
次の次画面においては、次画面の上側の領域に、次画面の画像データの上側を表示すると共に、次画面の下側の領域に、現画像データの下側を表示することによって、
現画像データを現画面と次画面とで連続して表示することを特徴とする画像表示装置の駆動方法
【発明の詳細な説明】
【技術分野】
【０００１】
本発明は、有機発光ダイオード（ＯＬＥＤ）や電子放出素子を用いた自発光型素子、あるいは強誘電体液晶など、高速応答を特徴とする素子で構成されたパッシブマトリクス方式の画像表示装置及びその駆動方法に関する。
【背景技術】
【０００２】
地上デジタル放送の試験運用が始まり、今後の本格運用を控えて、テレビの映像は高精細化の検討や動画質の向上が進んでいる。また、近年の各種製造技術の進展に伴い、従来のＣＲＴに加えて、いわゆるフラットパネル型の液晶ディスプレイ（ＬＣＤ）やプラズマディスプレイパネル（ＰＤＰ）の大型化も著しい。
【０００３】
しかし、大型化による配線抵抗の増加や、高精細化によるライン当りの処理時間の減少による動作マージンの低下が課題となっている。また、ＯＬＥＤや電界放射型ディスプレイ（ＦＥＤ）や電子放出型素子を用いたディスプレイなど、いわゆる自発光型の高速応答デバイスによる素子を用いたディスプレイの場合、薄膜トランジスタ（ＴＦＴ）を用いたアクティブマトリクス方ディスプレイと比較して、製造工程が比較的簡易ですむパッシブマトリクス型のディスプレイでは、その明るさはライン当りの発光期間と、発光強度によって制御される。
【０００４】
このため、発光強度を高めれば、強い輝度が得られるが、発光材料の寿命に影響するため、時間当りの輝度は、低いほうが望ましい。
【０００５】
一方発光期間のほうは、精細度によって走査線１ライン当りの時間が決まってくるので、容易にこれを増加させることは困難である。この対策の一つとして、下記特許文献１には、表示領域を上下で分割し、それぞれを同時に駆動する手法が記載されている。
【０００６】
すなわち、上側の画面は、上側の走査線と上側から入力された信号によって駆動し、下側の画面は、下側の走査線と下側から入力された信号によって駆動することで、上下を同時に駆動可能になるため、ライン当りの選択期間を最大２倍にすることができるので、同じ動作条件で２倍の輝度を出力することができる。
【特許文献１】特開２００１−２０９３５７号公報
【発明の開示】
【発明が解決しようとする課題】
【０００７】
しかしながら、このような上下分割駆動の場合、上下領域の走査方向が同じでは、境界領域で、隣接する表示エリアにおいて、１フレーム内の発光タイミングが大きく異なり、特に、縦線が横に移動するような表示において、縦線が切れてしまうという表示不良が予想される。以下、図１０を用いて、具体的な表示不良の内容について説明する。
【０００８】
通常テレビでは、１秒当り６０フレームの静止画像を表示している。ここで、白地の背景に黒い縦の線が、横方向に等速で移動するような画像について考察する。
【０００９】
つまり、図１０（ａ）に示すような、縦線が左から右へと一定速度で横に移動する画像信号が入力されているとき、通常の表示装置では、図１０（ｂ）に示すように見えるが、上下に分割して駆動する表示装置では、図（ｃ）に示すように走査方向が上下ともに上から下で同じ場合は、中央で切れた２本の斜め線が移動しているように見える。
【００１０】
これは、もともと画像データは、図１０（ａ）に示すように不連続のパターンとなっているのを、人間の脳が認識する際に、連続的な動きを補完して、横に移動しているように見えるのであるが、上下に同時に走査することで発光のタイミングが、１フレーム期間内で前後するため、この発光の遅れを、位置のずれとして認識してしまうために起きる現象である。
【００１１】
フレーム当りの移動量をＡ画素とし、フレーム期間が表示の水平同期周期（１Ｈｏ）を基準として４００Ｈｏ、上下それぞれの表示領域の行数が３８４Ｈｏであるとすると、図（ａ）では、１行目と３８４行目との間で認識される位置のずれＢは、人間が動作に追随できる範囲は、個人差があるが、概ねＡ＜２０程度として、次式で表される。
Ｂ＝Ａ×（３８４−１）／４００
【００１２】
したがって、例えば、フレームあたり１０画素移動するような表示の場合には、１行目と３８５行目、３８４行目と７６８行目では、９〜１０画素のずれを認識する。特に、上下の境界となる３８４行目と３８５行目では、この差がはっきり見えるため、縦線が切れて見えることになる。
【００１３】
このような表示不良の対策として図１０（ｄ）、（ｅ）に示すように、走査方向を逆にして、境界部分での表示タイミングを合わせる手法も報告されているが、この場合、接合部での断裂は解消できても、中央と上下端部で生じる発光タイミングのずれのために、やはり同様の現象は避けられないので、縦線が図１０（ｄ）、（ｅ）に示すように、くの字型に曲がって見えてしまうことが実験から明らかになった。
【００１４】
そこで、本発明は、このように表示領域を上下に分割して駆動する際に発生する表示不良を解決することにある。
【００１５】
また、本発明は、前述した画質不良に対策するための構成を、ハードウェア的に大きな変更を加えることなく、つまりフレームメモリなどの部品を増加することなく実現し、安価で高画質のテレビを実現することにある。
【課題を解決するための手段】
【００１６】
本発明は、現画面の上側の領域における画像信号の出力走査と、次画面の下側の領域における画像信号の出力走査とを連続的に行う手法であって、現画面と次画面とで上下に分割された１フレームの画像信号を、２画面にわたって出力することを特徴とする。
【００１７】
通常、画像入力信号は、垂直同期信号によって、フレーム毎に区切られており、フレーム毎の画像データを同一フレームメモリに格納して処理するのであるが、本発明のように、分割駆動を行うと、境界領域に見られる画質不良を改善するために、画面分割する部分を区切りとして、各フレームメモリに格納し、併せて出力処理を境界部分で連続的に表示されるように行う。
【発明の効果】
【００１８】
以上、本発明は、パッシブマトリクス方式の画像表示装置において、表示領域を上下に分割して駆動する際に見られる画質不良を、出力タイミングの最適化により、改善することにある。
【００１９】
また、本発明は、画質不良を改善する際に、入力画像信号のフレームメモリへの格納手法を改善することにより、システム的に大きな変更を加えることなく、低コストの画像表示装置を得ることができる。
【発明を実施するための最良の形態】
【００２０】
以下、図面を用いて、本発明の実施例を説明する。
【実施例１】
【００２１】
図１は、本発明に係る画像表示装置の概略図であって、画像信号入力１は、制御回路３を経てフレームメモリ＃１（２−１）、＃２（２−２）、＃３（２−３）のうちのいずれかに格納される。一方、制御回路３内のタイミングパルス生成回路４では、上下に分割された表示領域の、走査線に接続された垂直ドライブ回路５及び上下の各信号線に接続された水平ドライブ回路６−１，６−２を駆動するためのタイミングパルスを生成、出力するとともに、必要な画像データをフレームメモリ＃１〜＃３のうちのいずれかから読み出して上下の水平ドライブ回路６−１，６−２に画像信号を出力する。表示領域７では、上下それぞれでマトリクス状に配列された各画素において、走査線及び信号線を通じて入力された信号により順次発光し、表示を行う。
【００２２】
ここで、画像信号は、図２に示すように、前フレームの有効データが終わった後、フロントポーチ期間、垂直同期信号期間、バックポーチ期間を経てから、有効データ期間のサイクルを繰り返し、これら一連の期間を合わせてフレーム周期Ｔｆと呼ばれる。
【００２３】
例えば、横１３６６×縦７６８画素で表示マトリックスが構成されるＷＸＧＡと呼ばれる場合は、水平同期信号の周期（以後、１Ｈと称する）を基準とするとき、フレーム周期Ｔｆを８００Ｈとすると、有効データ期間Ｔｄは７６８Ｈであるから、フロントポーチが１０Ｈ、垂直同期信号が６Ｈ、バックポーチが１６Ｈで、各期間の非有効データ期間はあわせて３２Ｈとなる。
【００２４】
フレーム周期Ｔｓと有効データ期間Ｔｄの関係は、ＶＥＳＡで定められている統一規格の他、各装置の独自仕様もあるが、概ねＴｄ／Ｔｓは、９０％以上となっている。
【００２５】
フレームメモリ＃１の切り替え操作は、有効データ期間Ｔｄが開始される前に行う必要があり、これをバックポーチ期間中の１６Ｈのタイミングで行うとすれば、垂直同期信号（６Ｈ）の入力からフレームメモリ＃１のメモリ切替期間Ｔｓｗは、２２Ｈとなり、非有効データ期間３２Ｈよりも小さい。
【００２６】
フレームメモリ＃１の切り替え後、フレームメモリ＃２は、書込（読込）用として画像データを格納する。一方、読出用となったフレームメモリ＃１，＃３からは、まず、前フレームの画像データを格納したフレームメモリ＃１から上画面１〜３８４行目までの画像データを順次読出し、水平ドライブ回路に出力する。また、同時に下画面３８５〜７６８行目までの画像データを、前々フレームの画像データが格納されているフレームメモリ＃３から順次読出し、水平ドライブ回路に出力する。
【００２７】
ここで、上画面と下画面の走査を連続的とするために、下画面の３８５行目からの画像データは、フレームメモリ＃１の切り替え直後に出力を行い、切り替え後３２Ｈを経過した３３Ｈ目からは上画面の１行目からの画像データを出力する。
【００２８】
このようにすると、切り替え後８００Ｈ経過後には、上画面では、フレームメモリ＃１から３８４行目の出力を終え、次画面の下画面では、フレームメモリ＃１から３８５行目の出力を行うことになり、画像データが連続的に出力されるので、上下の境界領域での動画像に切れ目が見えるというような画質不良を防止することができる。
【００２９】
フレームメモリ切り替え後は、書込用をフレームメモリ＃２からフレームメモリ＃３に、読み出し用は上画面をフレームメモリ＃１からフレームメモリ＃２に、下画面をフレームメモリ＃３からフレームメモリ＃１に切り替え、以後、フレーム周期毎に同様の動作を繰り返す。
【００３０】
このように上下に分割して走査を行うことで、各行（各ライン）当りの走査・発光期間は２Ｈとなり、従来駆動の倍になるため、同じ駆動条件、つまり発光強度でも明るさを２倍にすることが出来、高品位のテレビを実現できる。
【実施例２】
【００３１】
本実施例では、実施例１で説明したように、上下に画面を分割して表示を行う画像表示装置において、現画面で２つのフレームメモリの画像データを用い、次画面で、現画面で用いたフレームメモリの画像データを用いて連続的に走査を行うことで、境界領域での動画質劣化を抑制することができる。
【００３２】
しかし、実施例１では、同じフレームメモリからの画像データを２画面にわたって出力する必要があるため、連続的にこれを行うにはフレームメモリは、３フレーム分必要となり、必要なシステム構成が増加してコスト増となってしまう。
【００３３】
本実施例は、フレームメモリを２フレーム分としたもので、以下、図３及び図４を用いて説明する。
【００３４】
図３は、実施例１の構成と比較して、フレームメモリは２フレーム分となっている。表示領域は、実施例１と同様に、横１３６６×縦７６８画素の構成とし、上下各３８４行ずつに分割して独立に制御する。
【００３５】
次に、図４を用いて動作を説明する。実施例１と同様に、フレーム周期Ｔｆは８００Ｈで、有効データ期間Ｔｄは７６８Ｈ、フロントポーチは１０Ｈ、垂直同期信号は６Ｈ、バックポーチは１６Ｈとし、非有効データ期間は合わせて３２Ｈのシステムとする。
【００３６】
実施例１と異なるのは、フレームメモリを切り替えるタイミングが、有効データ期間のうち、上画面に相当する画像データが終わった３８４Ｈ目の終了時とする。このとき、垂直同期信号の開始から、フレームメモリ切り替えタイミングまでのメモリ切替期間Ｔｓｗは４０６Ｈとなり、非有効データ期間３２Ｈよりも大きい。
【００３７】
フレームメモリ＃１の切り替え後は、フレームメモリ＃２は、書込用として画像データを格納する。一方、読出用となったフレームメモリ＃１には、現フレームの上画面１〜３８４行目までの画像データと、前フレームの下画面３８５〜７６８行目までの画像データが格納されているので、これらを上画面と下画面の走査に合わせて順次読出し、水平ドライブ回路に出力する。
【００３８】
ここで実施例１のように、上画面と下画面の走査を連続的とするために、下画面（３８５行目）の画像データは、フレームメモリの切り替え直後から出力を行い、切り替え後３３Ｈ目からは上画面の画像データを出力する。
【００３９】
このようにすると、切り替え後８００Ｈ経過後には、上画面の３８４行目の出力を終え、続けて３８５行目の出力を行うことになり、画像データが連続的に出力されるので、上下の境界領域での動画像に切れ目が見えるというような画質不良を防止することができる。
【００４０】
フレームメモリ切り替え後は、書込用をフレームメモリ＃２からフレームメモリ＃１に、読出用は、現フレームの上画面１〜３８４行目までと前フレームの下画面３８５〜７６８行目までを格納したフレームメモリ＃１から、現フレームの下画面３８５〜７６８行目までと次フレームの上画面１〜３８４行目までを格納したフレームメモリ＃２に切り替え、以後、フレーム周期毎に同様の動作を繰り返す。
【００４１】
本実施例では、動画質と輝度に対しては実施例１と同じ効果を得ながら、フレームメモリは１フレーム分少ない２フレーム分のシステム構成で、すなわち、ハードウェア的には、従来の構成を大きく変更することなく、高画質の画像表示装置を得ることができる。
【実施例３】
【００４２】
次に、図５を用いて実施例３について、説明する。本実施例では、実施例１あるいは実施例２におけるより効率的な水平期間内の画像データの処理手法について説明する。
【００４３】
画像入力信号の水平同期周期を１Ｈとすると、表示領域を上下に分割することにより、１行当りの選択走査期間は２倍にできるので、表示系で見たときの水平同期周期を１Ｈｏとすると、１Ｈｏ＝２Ｈの関係が成立する。すなわち、読出用のフレームメモリは、２Ｈの期間に上下各１行ずつの画像データを出力すればよい。
【００４４】
なお、これを低速で同時出力してもよいのであるが、その場合、制御回路との間には、２行分のバスが必要となり、システムコストが増加する。既に、画像入力信号を格納する際には１Ｈ当り１行の画像データを処理しているので、出力の場合も同様に１Ｈにつき１行の画像データを処理すれば、制御システムに大きな変更を要しない。
【００４５】
すなわち、表示系の水平同期周期１Ｈｏ（＝２Ｈ）の前半１Ｈで上画面の画像データを読み出し、後半の１Ｈで下画面の画像データを読み出して転送すれば、制御回路は従来構成のままで使用できる。
【００４６】
このようにして、水平ドライブ回路に転送された画像データは、次の表示系の水平周期１Ｈｏのはじめに各信号線を通じて画素に信号を送る。垂直ドライブ回路は、これと同期して、上下の表示領域で各１行ずつ選択走査パルスを出力することで、上下で選択された各行は、それぞれの画素で表示状態に移行する。
【００４７】
これを表したのが図５である。読出用のフレームメモリからは１Ｈ毎に１行目、４０１行目、２行目、４０２行目、３行目、４０３行目の順に、各行の画像データをそれぞれ上下の水平ドライブ回路に転送する。１行目の次に読み出すのが３８５行目ではなく４０１行目となるのは、図２あるいは図４にあるように、間に非点灯期間の３２Ｈを含むため、上下の先頭の位置がずれるためである。１度水平ドライブ回路で保持された画像データは、１Ｈｏ毎に信号波形を各信号線に出力する。また、走査選択パルスは１Ｈｏ毎に上下でそれぞれ１行ずつの選択パルスを出力する。
【００４８】
なお、本実施例では、フレームメモリから読み出された画像データは水平ドライブ回路で１度保持されてから次の１Ｈｏ期間に信号線に出力する例を取り上げているが、さらに、画像処理を行うなどして、信号線への出力がもう１Ｈｏ期間遅れることになった場合は、走査選択パルスの出力タイミングを１Ｈｏ遅らせることで、本発明の効果が得られることはいうまでもない。
【００４９】
なお、画素については、特に限定していないが、パッシブマトリクス方式の駆動が可能であれば、電子放出型デバイスを用いても、あるいはカソードナノチューブ（ＣＮＴ）や、表面電荷放出素子（ＳＣＥ：Surface Conduction electron Emitter）、または有機発光ダイオード（ＯＬＥＤ）素子を用いた場合でも同様にその効果がえられることはいうまでもない。
【実施例４】
【００５０】
以下、図６を用いて実施例４について説明する。本実施例では、実施例１〜３で説明した駆動方法を実現するための画像表示装置に関し、表示領域の構成について説明する。
【００５１】
図６は、本発明に係る画像表示装置の概略図であって、画像信号１は、制御回路３に入力され、フレームメモリ２に格納される。制御回路３の内部に設けられたタイミングパルス生成回路４からの制御信号は、左右の垂直ドライブ回路５及び上下の水平ドライブ回路６−１、６−２に送られる。また、フレームメモリ２からの画像データは、水平ドライブ回路６−１、６−２に送られる。
【００５２】
表示領域７には、基板上に垂直ドライブ回路５に接続された走査配線２１と、上下の水平ドライブ回路６−１、６−２に接続され、上下に分離された信号配線２２−１、２２−２とが配線されており、各走査配線２１と信号配線２２との交差部には、画素２３がマトリックス状に配置されている。したがって、各画素２３は、それぞれ走査配線２１によって選択された期間に信号配線２２に与えられた画像データに応じて明るさが変化する。
【実施例５】
【００５３】
以下、図７及び図８を用いて実施例５について説明する。本実施例では、実施例１〜３で説明した駆動方法を実現する画像表示装置の別の構成について説明する。
【００５４】
図７は、本発明に係る画像表示装置の概略図であって、図６と異なるのは、表示領域は、蛍光体を有するアノード基板２４と電子放出源を有するカソード基板２５とを対向し、一定間隔を保持して貼りあわせ、内部を減圧して低圧とする構造とし、アノード基板２４には、高圧電源８から放出電子を加速するための高圧が印加されている。
【００５５】
カソード基板２５には、垂直ドライブ回路５に接続された走査配線２１と上下の水平ドライブ回路６−１、６−２に接続され、上下に分離された信号配線２２−１、２２−２とが配線されており、各走査配線２１と信号配線２２の交差部には画素２３がマトリックス状に配置されている。
【００５６】
なお、図１、図３、図６、図７において、制御回路４とフレームメモリ２を分けて示してあるが、これはあくまでも本発明の機能を説明するために分離しているのであり、実際のハードウェア構成としては、例えば、１つの制御基板上に制御回路４とフレームメモリ２が搭載されている場合や、さらには、制御基板上に垂直ドライブ回路５や水平ドライブ回路６の一部を集約して実装する場合でも、同様に、本発明の効果が得られることはいうまでもない。
【００５７】
図８（ａ）は、この画素２３の断面図であって、カソード基板２５上に形成された信号配線２２は、絶縁膜２７によってその上部に形成された走査配線２１と分離されている。絶縁膜２７の一部は、厚さ約１０ｎｍの極薄膜とし、その上に薄い上部電極２６を形成し、走査配線２１に接続する。
【００５８】
この信号配線（下部電極）２２−（極薄）絶縁膜２７−上部電極２６とで積層された構成はＭＩＭ（Metal Insulator Metal）構造と呼ばれ、印加電圧に対しダイオード特性を示すとともに、電流の一部が上部電極よりも上に放出される。
【００５９】
よって、このＭＩＭ部分を電子放出源３１とし、放出電子を対向するアノード基板２４に印加した高電圧で加速して、基板上の蛍光体２８に衝突、発光させる。なお、アノード基板２４は、他に画素間を分離するブラックマトリクス２９と蛍光体２８での発光のうち、裏面（カソード基板方向）への成分を上面に取り出すためのメタルバック３０とで構成される。
【００６０】
図８（ｂ）は、画素２３のカソード基板上の平面図であって、信号配線２２は走査配線２１と直交し、絶縁膜によって電気的に分離されている。信号配線上の電子源３１の領域では、図８（ａ）に示したように絶縁膜が薄くなっており、この部分を覆うように上部電極２６が形成され、信号配線２１に接続されている。ここで、アノード基板上で各電子源に対応する蛍光体を赤、緑、青のように配列すれば、カラーの画像表示装置が得られることになる。
【００６１】
以上のように構成した画像表示装置を用い、実施例１〜３で説明した駆動法を用いることによって、高画質で高輝度の平面型ディスプレイを実現することができる。なお、本実施例では電子源３１に平面型のＭＩＭ素子を用いたが、電子源３１はアノード基板２４に向けて電子を放出できればよいので、これに限定されるものではない。すなわち、カーボンナノチューブ（ＣＮＴ）や表面電荷放出素子（ＳＣＥ）による構成でも同様にその効果が得られることは言うまでもない。
【実施例６】
【００６２】
以下、図９を用いて実施例６について説明する。本実施例では、実施例４で説明した画像表示装置の構成で、画素２３にＯＬＥＤ（有機発光ダイオード）を用いた場合について説明する。
【００６３】
図９は、図６に示す画素２３にＯＬＥＤを用いた場合の断面図であって、ガラスなどの透明基板上にＩＴＯやＩＺＯなどの透明電極を用いて下部電極（信号電極２２を兼ねる）を形成し、絶縁膜２７で開口部を形成し、Ａｌなどの抵抗率の低い金属材料で走査配線２１を形成する。
【００６４】
次に、開口部に正孔注入層、正孔輸送層、発光層、電荷輸送層、電荷注入層の機能を単層あるいは複数の層の積層構造で有するＯＬＥＤ（有機発光ダイオード）素子を形成し、さらに上部電極２６を蒸着などの手法で、走査配線２１に接続された形で形成する。最後に保護層としてパッシベーション膜あるいはガラス基板を貼りあわせる。
【００６５】
このようにして、上部電極２６−ＯＬＥＤ３２−下部電極（信号配線２２）間に電圧を印加すると、電圧に応じてＯＬＥＤ層で発光し、下部基板側に光が放出される。
【００６６】
このように、ＯＬＥＤを用いた画素をマトリクス状に形成することで、画像表示装置を得ることができる。なお、本実施例では、ＯＬＥＤ３２を形成する下地基板側に光を取り出すボトムエミッション構造の例を示したが、透明電極を上側に配置し、光を反対側に取り出すトップエミッション構造の画素を用いる場合でも、図６に示すパネル構成をとれば、本発明に係る画像表示装置を実現可能なことは言うまでもない。
【図面の簡単な説明】
【００６７】
【図１】本発明に係る画像表示装置の概略図（実施例１）
【図２】図１のメモリ選択タイミングと走査線選択状況の説明図（実施例１）
【図３】本発明に係る他の画像表示装置の概略図（実施例２）
【図４】図３のメモリ選択タイミングと走査線選択状況の説明図（実施例２）
【図５】フレームメモリからの画像データ読出・転送タイミングの説明図（実施例３）
【図６】本発明に係る画像表示装置における表示領域の概略図（実施例４）
【図７】本発明に係る画像表示装置における他の表示領域の概略図（実施例５）
【図８】図７における画素の拡大図（実施例５）
【図９】図６における画素の断面拡大図（実施例６）
【図１０】上下分割表示装置における移動する縦線の見え方（従来例）
【符号の説明】
【００６８】
１…画像信号入力、２…フレームメモリ、３…制御回路、４…タイミングパルス生成回路、５…垂直ドライブ回路、６…水平ドライブ回路、７…表示領域、８…高圧電源、２１…走査配線、２２…信号配線、２３…画素、２４…アノード基板、２５…カソード基板、２６…上部電極、２７…絶縁膜、２８…蛍光体、２９…ブラックマトリクス、３０…メタルバック、３１…電子放出源、３２…ＯＬＥＤ層
【図１】
2006343556.tif 000003
【図２】
2006343556.tif 000004
【図３】
2006343556.tif 000005
【図４】
2006343556.tif 000006
【図５】
2006343556.tif 000007
【図６】
2006343556.tif 000008
【図７】
2006343556.tif 000009
【図８】
2006343556.tif 000010
【図９】
2006343556.tif 000011
【図１０】
2006343556.tif 000012